(57)【要約】      （修正有）【課題】コンピュータ装置のユーザ入力装置への所定の繰返し手動操作をシミュレートするためのユーザ入力信号列を生成することにより、ユーザ入力装置に対して操作を頻繁に行わずにすむシグナルシミュレータを提供する。【解決手段】シグナルシミュレータは、ユーザ入力装置を含むコンピュータ装置に対して前記ユーザ入力装置を操作するとき、ユーザ入力信号を生成するようにしたものであって、プログラムコードデータを記憶する記憶ユニットと、データ伝送パスを確立することができるインターフェースユニットと、前記記憶ユニットにおけるプログラムコードデータに対応してシミュレートされるユーザ入力信号列を生成し、前記インターフェースユニットを介して前記コンピュータ装置に与えると、前記コンピュータ装置から前記目標ユーザ入力信号に対応して応答を生じさせる制御ユニットと、を含む。【選択図】図１
2007058359.tif 000002
【特許請求の範囲】
【請求項１】
ユーザ入力装置を含むコンピュータ装置に対して前記ユーザ入力装置を操作するとき、ユーザ入力信号を生成するようにしたものであって、
前記ユーザ入力装置の目標ユーザ入力信号に対応付けるプログラムコードデータを記憶する記憶ユニットと、
前記コンピュータ装置との間に、データ伝送パスを確立することができるインターフェースユニットと、
前記記憶ユニットと前記インターフェースユニットに電気的に接続され、前記記憶ユニットにおけるプログラムコードデータに対応してシミュレートされるユーザ入力信号列を生成し、前記インターフェースユニットを介して前記コンピュータ装置に与えると、前記コンピュータ装置から前記目標ユーザ入力信号に対応して応答を生じさせる制御ユニットと、
を含む構成にしたことを特徴とするシグナルシミュレータ。
【請求項２】
前記インターフェースは、外部データバスを有していることを特徴とする請求項１に記載のシグナルシミュレータ。
【請求項３】
前記インターフェースユニットは、USB、PS/2、IEEE 1394又はRS-232仕様をそなえていることを特徴とする請求項２に記載のシグナルシミュレータ。
【請求項４】
前記ユーザ入力装置として、キーボード又はコンピュータマウスが用いられ、
前記プログラムコードデータは、前記キーボード又はコンピュータマウスの目標ユーザ入力信号に対応付けられることを特徴とする請求項１に記載のシグナルシミュレータ。
【請求項５】
前記ユーザ入力装置として、キーボードが用いられ、
前記プログラムコードデータは、前記キーボードの目標ユーザ入力信号に対応付けられ、
前記制御ユニットは、前記シミュレートされるユーザ入力信号を標準キーボード信号に一致させるキーボードインターフェースが設けられていることを特徴とする請求項１に記載のシグナルシミュレータ。
【請求項６】
前記ユーザ入力装置として、コンピュータマウスが用いられ、
前記プログラムコードデータは、コンピュータマウスの目標ユーザ入力信号に対応付けられ、
前記制御ユニットは、前記シミュレートされるユーザ入力信号を標準コンピュータマウス信号に一致させるマウスインターフェースが設けられていることを特徴とする請求項１に記載のシグナルシミュレータ。
【請求項７】
前記制御ユニットはさらに、前記コンピュータ装置から前記インターフェースユニットを介して許可信号を受信するレシーバモジュールを設け、
前記制御ユニットは、前記許可信号に応答して前記シミュレートされるユーザ入力信号を生成することを特徴とする請求項１に記載のシグナルシミュレータ。
【請求項８】
前記制御ユニットは、前記インターフェースユニットによって前記コンピュータ装置との間に確立されたデータ伝送パスを検出するとき、前記シミュレートされるユーザ入力信号を生成することを特徴とする請求項１に記載のシグナルシミュレータ。
【請求項９】
前記目標入力信号は、前記ユーザ入力装置の所定の冗長操作に対応付けられていることを特徴とする請求項１に記載のシグナルシミュレータ。
【請求項１０】
さらに、前記記憶ユニット及び前記制御ユニットを収容する携帯用筐体が設けられ、前記インターフェースユニットは、前記携帯用筐体に取付けられていることを特徴とする請求項１に記載のシグナルシミュレータ。
【発明の詳細な説明】
【技術分野】
【０００１】
本発明は、シグナルシミュレータに関するものであり、特に、コンピュータ装置のユーザ入力装置への頻繁な操作をシミュレートするためのユーザ入力信号列を生成するシグナルシミュレータに関するものである。
【背景技術】
【０００２】
コンピュータ装置においては、例えばキーボード、マウスなどは最も一般的なユーザの入力装置である。インターネット技術の普及上欠かせないコンピュータ装置にて例えばオンラインでゲームをするとき、入力装置であるキーボード及び／又はマウスを用いて冗長な手動操作をしなければならないので、手にしびれを生じるなどの支障をきたす。
【発明の開示】
【発明が解決しようとする課題】
【０００３】
ここで、本発明者は、ユーザ入力装置のユーザ入力信号にシミュレートして対応付けられるプログラムコードデータが開発されれば、ユーザ入力装置に対して手操作の繰返し回数を低減することができることを知見した。
このため、本発明は、コンピュータ装置のユーザ入力装置への頻繁な操作をシミュレートするためのユーザ入力信号列を生成するシグナルシミュレータを提供することを目的とするものである。
【課題を解決するための手段】
【０００４】
上記目的を達成すべく、本発明のシグナルシミュレータは、ユーザ入力装置を含むコンピュータ装置に対して前記ユーザ入力装置を操作すると、ユーザ入力信号列を生成するようにしたものであって、前記ユーザ入力装置の目標ユーザ入力信号に対応付けるプログラムコードデータを記憶する記憶ユニットと、前記コンピュータ装置との間に、データ伝送パスを確立することができるインターフェースユニットと、前記記憶ユニットと前記インターフェースユニットに電気的に接続され、前記記憶ユニットにおけるプログラムコードデータに対応してシミュレートされるユーザ入力信号列を生成し、前記インターフェースユニットを介して前記コンピュータ装置に与えると、前記コンピュータ装置から前記目標ユーザ入力信号に対応して応答を生じさせる制御ユニットと、を含む構成にしてなる。
【発明の効果】
【０００５】
以上のように、本発明のシグナルシミュレータは、コンピュータ装置に接続されると、コンピュータ装置のユーザ入力装置への頻繁な操作をシミュレートするためのユーザ入力信号列を生成してコンピュータ装置に送信していくことができ、ユーザ入力装置に対して所定の操作を頻繁に行わずにすむ。
【発明を実施するための最良の形態】
【０００６】
以下、本発明の実施形態について図面を参照して説明する。ここに示す図は単に説明用のものであって、本発明はここに記述した具体例に限定されないものである。
図１は、本発明にかかる実施形態のシグナルシミュレータの構成を概略示すブロック図で、図２は同実施形態の構成の概略図である。
【０００７】
本発明にかかる実施形態のシグナルシミュレータ１０は、図１と図２に示されているように、パソコンなどのコンピュータ装置１に接続されている。コンピュータ装置１は、ユーザ入力装置２を含み、該ユーザ入力装置２を操作すると、シグナルシミュレータ１０は、ユーザ入力信号が生成される。ユーザ入力装置２としては、具体的には、キーボード又はコンピュータマウスである。シグナルシミュレータ１０は、携帯用筐体１１に記憶ユニット１２と、インターフェース１３と、制御ユニット１４が収容されてなり、例えば外からコンピュータ装置１に電気的に接続されている。
【０００８】
記憶ユニット１２としては、例えば記憶チップの形としてユーザ入力装置２、即ちキーボード又はマウスの目標ユーザ入力信号に対応付けられ且つ商標登録されたプログラムコードデータを記憶する。目標ユーザ入力信号は、ユーザ入力装置２、即ちキーボード又はマウスの所定の繰り返し操作に対応付けられるものである。
【０００９】
インターフェースユニット１３は、USB、PS/2、IEEE 1394又はRS-232仕様を満たす外部データバスを有し、コンピュータ装置１との間に、データ伝送パスを確立することができる。
制御ユニット１４は、記憶ユニット１２及びインターフェースユニット１３に電気的に接続され、シミュレートされるユーザ入力信号を標準キーボード及び／又はコンピュータマウス信号に一致させるようにするキーボードインターフェース１４１と、コンピュータマウスインターフェース１４２を有し、記憶ユニット１２におけるプログラムコードデータに対応してシミュレートされるユーザ入力信号列を生成し、インターフェースユニット１３を介してコンピュータ装置１に送信していくと、コンピュータ装置１から目標ユーザ入力信号に対応して応答を生じさせることができる。
【００１０】
制御ユニット１４はさらに、レシーバモジュール１４３が設けられ、このレシーバモジュール１４３によって、コンピュータ装置１からインターフェースユニット１３を介してユーザ入力装置２の操作結果として許可信号を受信することができる。制御ユニット１４は、レシーバモジュール１４３からの許可信号に応答してシミュレートされるユーザ入力信号を生成する。なお、このユーザ入力信号としては、有限のユーザ入力信号列である。
【００１１】
また、制御ユニット１４は、レシーバモジュール１４３からの許可信号の代りに、インターフェースユニット１３によってコンピュータ装置１との間に確立されたデータ伝送パスを検出すると、シミュレートするユーザ入力信号を生成するようにしてもよい。
【００１２】
また、制御ユニット１４は、キーボードインターフェース１４１とマウスインターフェース１４２を設けている。こうすることにより、ユーザ入力装置２がコンピュータ装置１に接続されなくても、制御ユニット１４からもシミュレートするユーザ入力信号をコンピュータ装置１に送信することができる。
【００１３】
図２に、この実施形態の基本構成例を模式的に示す。記憶ユニット１２及び制御ユニット１４は携帯用筐体１１に収容され、インターフェースユニット１３は、携帯用筐体１１に取付けられている。このように、かかるプログラムコードデータは、モジュール化されたシグナルシミュレータ１０に内蔵され、権限のないユーザにより勝手にコピーされることなく、ソフトウェア開発者に対して著作権の保護が得られる。
【００１４】
本発明のシグナルシミュレータ１０を用いて、オンラインロールプレーイングゲームをする場合、プログラムコードデータとしては、オンラインロールプレーイングゲーム（ＲＰＧ）における特定のキャラクターのユーザ入力装置２に対する繰返し操作例えば３６０°射撃制御をすることをシミュレートする信号列である。シグナルシミュレータ１０はコンピュータ装置１に接続され、入力装置２例えばキーボード上の所定のキー例えばスクロールロックキーを押すと、許可信号が生成され、制御ユニット１４のレシーバモジュール１４３に受信される。その後、特定のキャラクターの３６０°射撃制御をシミュレートするユーザ入力信号列がコンピュータ装置１に送信されていくことによって、コンピュータ装置１は、ユーザ入力装置２に対してそれ以上の手動操作をしなくても、目標ユーザ信号に応じて応答をすることができる。
【００１５】
したがって、ユーザ入力装置２に対して手動操作を頻繁にすることなく、入力装置２の反復操作による手のしびれなどの障害も極力抑えることができる。
以上のように、本発明によれば、コンピュータ装置のユーザ入力装置への所定の繰返し手動操作をシミュレートするためのユーザ入力信号列を生成することにより、ユーザ入力装置２に対して操作を頻繁に行わずにすむシグナルシミュレータを提供できる。
【図面の簡単な説明】
【００１６】
【図１】本発明にかかる実施形態のシグナルシミュレータの構成を概略示すブロック図。
【図２】同実施形態の基本構成例を模式的に示す図。
【符号の説明】
【００１７】
１・・・コンピュータ装置  ２・・・ユーザ入力装置  １０・・・シグナルシミュレータ  １１・・・携帯用筐体  １２・・・記憶ユニット  １３・・・インターフェース  １４・・・制御ユニット  １４１・・・キーボードインターフェース  １４２・・・マウスインターフェース  １４３・・・レシーバモジュール
【図１】
2007058359.tif 000003
【図２】
2007058359.tif 000004